(57)【要約】  ハンドル（１２）と、相互連結部材（１６）と、少なくとも１つの剃毛用の刃（１１）を有するカートリッジ（１４）と、を有する湿式剃毛かみそり（１０）が提供される。ハンドルは、遠位把持部（２４）と、それ自体を貫通する開かれた区域を画定する近位端部（２６）と、を有する。ハンドルの近位端部はアンダーカット部（３４）を有する。相互連結部材はカートリッジに装着され、ハンドルのアンダーカット部と解放可能に係合する自由端（４２）を備えたラッチ（２２）を含む。ボタンは、ボタンを作動することがラッチの自由端を偏向し、ハンドルのアンダーカット部から自由端を解除するように、ハンドルの近位端部によって支持される遠位端部と、ラッチの自由端によって支持される近位端部と、を有する。
2012514496.tif 000002
【特許請求の範囲】
【請求項１】
把持部と突出部を有する近位端部とを有するハンドルと、
少なくとも１つの刃を有するカートリッジと、
前記ハンドルに装着されるハウジングを有し、前記カートリッジを前記ハンドルに接合する相互連結部材と、
を備え、
前記ハウジングは、
一対のスリットを画定する自由端を有するラッチであって、当該自由端は前記ハンドルの前記突出部と解放可能に係合するフランジ部材を有する、というラッチと、
前記自由端から横方向に延出していて、かつ、前記フランジ部材が前記突出部と係合される第１の位置と前記フランジ部材が前記突出部から解除される第２の位置との間を移動可能であるツメ部材と、
を備える、剃毛かみそり。
【請求項２】
前記突出部が、テーパー形状の先端部及びテーパー形状の後端部を有する拡大されたラッチ部材を有する、請求項１に記載の剃毛かみそり。
【請求項３】
前記拡大されたラッチ部材の前記後端部が、前記先端部より大きいテーパーを有する、請求項２に記載の剃毛かみそり。
【請求項４】
前記拡大されたラッチ部材が、前記ハンドルの前記近位端部の前壁から離間配置されている、請求項３に記載の剃毛かみそり。
【請求項５】
前記ハンドルが可動構成要素を有しない、請求項４に記載の剃毛かみそり。
【請求項６】
前記ハウジングが開口部を画定し、前記突出部が前記ハウジングの前記開口部内に配置されている、請求項４に記載の剃毛かみそり。
【請求項７】
前記開口部が非対称である、請求項４に記載の剃毛かみそり。
【請求項８】
前記ハンドルの前記近位端部が非対称である、請求項７に記載の剃毛かみそり。
【請求項９】
前記ツメ部材を作動することが、フランジ部材を前記突出部から外させて、前記ハンドルから前記相互連結部材を解放させる、請求項４に記載の剃毛かみそり。
【請求項１０】
前記ツメ部材と前記ハウジングとが一体の構成要素である、請求項４に記載の剃毛かみそり。
【請求項１１】
前記相互連結部材が、前記カートリッジに回動自在に接合される、請求項１０に記載の剃毛かみそり。
【請求項１２】
前記相互連結部材が、前記カートリッジに回動自在に接合される一対のアームを有する、請求項１０に記載の剃毛かみそり。
【請求項１３】
前記相互連結部材が一体型構成要素である、請求項１２に記載の剃毛かみそり。
【請求項１４】
前記ハンドルの前記突出部が、テーパー形状のスロットを画定する第１の壁を有する、請求項４に記載の剃毛かみそり。
【請求項１５】
前記ハウジングが、前記テーパー形状のスロット内に配置されるガイド部材を有する、請求項１４に記載の剃毛かみそり。
【請求項１６】
少なくとも１つの剃毛用の刃を有するカートリッジと、
遠位把持部と、鋭角に延在するラッチ部材を各々が有する一対の対向するアームを有する近位端部と、を含むハンドルと、
前記カートリッジに回動自在に接合され、かつ、前記一体型ハンドルの前記近位端部に取り外し可能に装着される相互連結部材と、
を備え、
前記相互連結部材が、前記一対のラッチ部材を受け入れるように寸法付けられたテーパー形状の開口部を画定するハウジングを含み、それ故、前記一対のラッチ部材を前記ハウジング内に挿入することによって、前記ラッチ部材が偏向し、前記ハウジングのアンダーカット部と係合する、剃毛かみそり。
【請求項１７】
前記一対の対向するアームが、前記ハンドルと一体である、請求項１６に記載の剃毛かみそり。
【請求項１８】
前記ハンドルの各アームが、前記アームの圧縮を容易にするために輪郭作られた指パッドを含む、請求項１７に記載の剃毛かみそり。
【請求項１９】
前記一対の対向するアームのそれぞれが、前記アームの過圧縮を防ぐために互いに接触している内側停止面を含む、請求項１７に記載の剃毛かみそり。
【請求項２０】
前記一対の対向するアームが、鍵穴形状のスロットを画定する、請求項１８に記載の剃毛かみそり。
【発明の詳細な説明】
【技術分野】
【０００１】
本発明は、剃毛かみそりに関し、より具体的には、剃毛かみそりのハンドルを剃毛カートリッジに取り外し可能に及び／又は回動自在に連結するドッキング機構を有する剃毛かみそりカートリッジに関する。
【背景技術】
【０００２】
近年では、数多くの刃先を有する剃毛かみそりが文献で提案され、商品化されてきており、例えば、２００５年２月２４日付で発行された米国公開特許第２００５／００３９３３７（Ａ１）号は、Ｔｈｅ  Ｇｉｌｌｅｔｔｅ  Ｃｏｍｐａｎｙによる５枚刃Ｆｕｓｉｏｎ（商標）かみそりとして国際的に商品化されている設計型式を概して記述している。
【０００３】
中国及びインドのような新興成長市場において選択される剃毛かみそりは、例えば、新興成長市場で使用される典型的な設計を概して記述している１９６６年９月２７日付で発行された米国特許第３，２７４，６８３号にあるような、標準二枚刃形式のかみそりである。これらの市場の消費者は、典型的には、米国で広く人気のある剃毛かみそりを購入する手段を有しない。標準二枚刃形式のかみそりの設計は経済的であるが、より先進の工業国で典型的に使用されている設計の便益を提供しない。
【０００４】
新興成長市場の剃毛製品消費者は、典型的には、シェービングの頻度は低く、週に１回か２回である。また、剃毛かみそりを濯ぐ又は洗浄するための流水がほとんど又は全く可用でなく、スキンクレンザー、及び剃毛前又は剃毛後の剃毛助剤の可用性も限られている。剃毛前の助剤としてはシェービングオイル、ゲル及びローションが挙げられ、剃毛後の助剤としてはアフターシェービングゲル、ローション及び保湿剤が挙げられる。剃毛かみそりを濯ぐには、典型的には、カップ又はボウルを水で満たして使用する。上記特許出願に開示されている剃毛かみそりは、西洋の剃毛の習慣、慣習及び環境のために設計された、かなり精緻なものであり、したがって、新興成長市場の消費者にとって理想的な剃毛体験を提供するものではない。新興成長諸国の剃毛製品消費者は、米国のようなより開発の進んだ国々の典型的な剃毛製品消費者と大きく異なる剃毛環境並びに異なる剃毛習慣及び慣習を有する。人気の５枚刃型Ｆｕｓｉｏｎ（商標）剃毛かみそりの精緻度を下げたバージョンをこれらの消費者がたとえ利用できるようになったとしても、彼ら固有の剃毛環境、習慣、慣習及び剃毛環境という理由から、最適な剃毛体験は依然提供されないであろう。
【０００５】
相互連結又は取り外し機構は、多数回使用された後に破損する傾向を有する多くの可動構成要素を有する傾向がある。また、これらの機構は、ユーザーが剃毛かみそりを落とした場合に最も壊れやすい機構でもある。したがって、ユーザーはしばしば剃毛かみそりの刃が鈍くなる前に交換用のハンドルを購入しなくてはならない。
【先行技術文献】
【特許文献】
【０００６】
【特許文献１】米国公開特許第２００５／００３９３３７（Ａ１）号
【特許文献２】米国特許第３，２７４，６８３号
【発明の概要】
【発明が解決しようとする課題】
【０００７】
したがって、剃毛かみそりのハンドルを剃毛カートリッジに取り外し可能に及び／又は回動自在に連結する、最少限の数の構成要素を有する頑強なドッキング機構を有する剃毛かみそりカートリッジを提供することは望ましい。
【課題を解決するための手段】
【０００８】
一態様では、本発明は、概して、湿式剃毛用の剃毛かみそりを特徴とし、ハンドルと、カートリッジと、相互連結部材と、を含む。ハンドルは、遠位把持部と一体型近位端部とを含む。カートリッジは、剃毛用の少なくとも１つの刃を有し、相互連結部材に回動自在に結合される。相互連結部材は、ハンドルの一体型近位端部に取り外し可能に装着される。
【０００９】
別の態様では、本発明は、概して、剃毛用の少なくとも１つの刃を有するカートリッジと、ハンドルと、相互連結部材と、を有するカートリッジを含む湿式剃毛用剃毛かみそりを特徴とする。ハンドルは、遠位把持部と、鋭角に延在するラッチ部材を各々が有する一対の対向するアームを有する一体型近位端部と、を含む。相互連結部材は、回動自在にカートリッジに結合され、一体型ハンドルの近位端部に取り外し可能に装着される。相互連結部材は、対のラッチ部材をハウジングに挿入することによってラッチ部材が偏向し、ハウジングのアンダーカット部と係合するように、対のラッチ部材を受け入れるように形成されたテーパー形状の開口部を画定するハウジングを有する。
【図面の簡単な説明】
【００１０】
【図１】湿式剃毛かみそりの上面図。
【図２】図１の湿式剃毛かみそりに組み込むことが可能なカートリッジ及びハンドルを図示する湿式剃毛かみそりの分解斜視図。
【図３】図２に図示されているカートリッジ、及びハンドルの近位端部の拡大分解斜視図。
【図４】概して図１の線４−４で得られた、図１の湿式剃毛かみそりの拡大断面図。
【図５】湿式剃毛かみそりの別の実施形態の上面図。
【図６】図５の湿式剃毛かみそりに組み込むことが可能なカートリッジ及びハンドルを図示する湿式剃毛かみそりの拡大分解斜視図。
【図７Ａ】図５の湿式剃毛かみそりの一部の側面図。
【図７Ｂ】図７Ａの線７−７で得られた湿式剃毛かみそりの拡大断面図。
【図８】湿式剃毛かみそりのまた別の実施形態の上面図。
【図９】図９の剃毛かみそりに組み込むことが可能なカートリッジ及びハンドルを図示する湿式剃毛かみそりの拡大分解斜視図。
【図１０】概して図８の線１０−１０で得られた、図８の剃毛かみそりの一部の断面図。
【図１１】概して図８の線１１−１１で得られた、図８の剃毛かみそりの断面図。
【発明を実施するための形態】
【００１１】
図１を参照すると、本開示の１つの可能な実施形態が示されており、ハンドル１２と、剃毛用の少なくとも１つの刃１１を有するカートリッジ１４とを有する剃毛かみそり１０を図示している。ハンドル１２は、遠位把持部２４と近位端部２６とを有することができる。特定の実施形態では、カートリッジ１４は、ハンドル１２に、取り外し可能に及び／又は回動自在に取り付けられてもよい。他の実施形態では、カートリッジ１４は、ハンドル１２に取り外し可能に及び／又は固定して取り付けられてもよい。カートリッジ１４は、必要に応じてユーザーによってハンドル１２から取り外され新しいカートリッジ１４と交換され得る。相互連結部材１６は、カートリッジをハンドル１２の近位端部２６に取り外し可能に結合することができる。相互連結部材１６に装着する近位端部２６は、単一の構成要素を形成するように、ともに成形すること及び／又は超音波溶接することが可能な一体型の一片の構成体であってもよい。相互連結部材１６に動作可能に接続される近位端部２６は、可動部を一切有しないことができる。用語「一体型」とは、特に明記しない限り、一切の可動構成要素が欠如している又は欠けていることとして定義される。可動構成要素は破損しやすく又は破壊されやすく、ハンドル１２及び相互接続部材１６の適正な機能を妨害する可能性がある。費用もまた、新興成長市場の消費者の購買決定において有意な因子である。多くの剃毛かみそりが、回動する取り外し可能なカートリッジを提供しているが、これらの設計はしばしば、剃毛かみそりの複雑さ及び費用を増す数多くの構成要素を要求する。数多くの可動部を有する取り外し機構はまた、取り外し機構の様々な構成要素（バネなど）を妨害する又は腐食する可能性のある水、剃毛助剤及び破片を捉え込む場合がある。取り外し機構はまた、洗浄及び濯ぎが困難である場合があり、微生物の成長につながる場合がある。
【００１２】
相互連結部材１６は、カートリッジ１４に恒久的に及び回動自在に結合されてもよく、いくつかの利点を提供することができる。ハンドル１２ではなく相互連結部材１６は、長期の使用とともに疲労及び破損することが可能な可動構成要素を有する場合があり、これは、取り付け機構を有する全ての剃毛かみそりで起こることである。カートリッジ１４は刃１１が鈍くなったときに交換されるので、カートリッジ１４、及びそれ故に相互連結部材１６は、相互連結部材１６が多数の疲労サイクルにさらされてカートリッジ１４とハンドル１２との間の接続の破損が生じ得る前に交換される。磨耗又は破壊されやすい可動構成要素（例えば、相互連結部材１６）がカートリッジ１４に位置づけられていることによって、ユーザーが交換用ハンドル１２を購入することを全く必要としないことが可能である。可動構成要素のない一体型ハンドル１２を有することのもう１つの可能な利点は、ハンドルの複雑さが大幅に低減され追加的な組立作業がほとんど又は全く必要ないので、アフターマーケットのハンドル製造業者が、カスタム交換用ハンドルを製造する可能性がより高いことである。カスタムハンドルは、可動の及び／又は壊れやすい構成要素を有する様々な接続機構を要求するカスタムハンドルの費用と比べわずかな費用で、クローム及び様々な貴金属又はメッキのようなハイエンドの材料を使用して、成形、機械加工、又は鋳造され得る。
【００１３】
相互連結部材１６は、ハンドル１２をカートリッジ１４にドッキングする単一点を提供することができる。単一点ドッキングは、例えばハンドル１２の１つの区域又は構成要素と、相互接続部材１６の１つの構成要素又は区域とを接続するための単一の区域のみを要求する。単一点ドッキングでは、適正な取り付け及び取り外しのためにハンドル１２の複数の区域又は構成要素とカートリッジ１４の複数の区域又は構成要素とが全て正確に整列及び係合しなくてもよいので、カートリッジ１４からのハンドル１２の取り付け及び取り外しが簡易化される。下記に更に詳述するように、相互連結部材１６に解放ツメ２２を提供して、ハンドル１２からのカートリッジ１４の解除を容易にすることができる。解放ツメ２２は、複雑さすなわち典型的にバネ及び追加的構成要素を要求するイジェクター又は解放ボタンのような余分な構成要素なしに、一桁の及び／又は単一の動作によってユーザーがハンドル１２からカートリッジ１４を解放することを可能にする。特定の実施形態では、解放ツメ２２は、ハンドル１２から相互連結部材１６及びカートリッジ１４をポンと取り出すこと又は突き出すことができる。カートリッジをハンドルからポンと取り出す又は突き出す解放ツメ２２の能力は、ユーザーがカートリッジ１４を片手で取り外して廃棄することを可能にする。
【００１４】
特定の実施形態では、相互連結部材１６は、カートリッジ１４にしっかりと回動自在に接続する一対のアーム１８及び２０を有することができる。この対向するアーム１８及び２０は比較的長く、比較的薄い壁厚を有するので、疲労しやすい又は破損されやすい可能性がある。アーム１８及び２０をカートリッジ１４（限られた使用回数の後に廃棄される）に位置づけることによって、構成要素の破損が原因でハンドル１２を交換する必要が全くなくなる可能性がある。対向するアーム１８及び２０は、カートリッジ１４の下に開いた空間又は窓を可能にし、剃毛後にカートリッジ１４から水が流れ出る能力を改善することができる。相互連結部材１６は、分離した構成要素をハンドル１２又はカートリッジ１４に組み立てる必要なくカートリッジ１４をハンドル１２に取り外し可能にかつ回動自在に連結することができる単一の一体型構成要素であってよい。ハンドル１２、カートリッジ１４及び相互連結部材１６は、高衝撃ポリスチレン（ＨＩＰＳ）のようなポリマーから成形してもよいが、ポリプロピレン（ＰＰ）及びアクリロニトリルブタジエンスチレン（ＡＢＳ）のような他の準剛性ポリマーを使用してもよい。あるいは、ハンドル１２を、金属、複合体、より剛性のプラスチック又はこれらの任意の組み合わせのようなより耐久性のある材料で構成してもよい。
【００１５】
ここで図２を参照すると、カートリッジ１４及びハンドル１２を図示する、剃毛かみそり１０の分解斜視図が示されている。ハンドル１２は、遠位把持部２４と近位端部２６とを含むことができる。ハンドル１２の近位端部２６は、概して固体の構成体であることができる。概して固体の近位端部２６は、剃毛助剤又は破片を捉え込む可能性のある可動構成要素又は開口若しくは穴のような機構を有さなくてもよい。捉え込まれた剃毛助剤又は破片は、解放機構の適正な機能に悪影響を及ぼし、かみそりカートリッジをハンドルからポンと取り出すことを困難にする可能性がある。近位端部２６は、テーパー形状の先端部３２とテーパー形状の後端部３４とを有する拡大されたラッチ部材３０を有する突出部２８を含むことができる。拡大されたラッチ部材３０のテーパー形状の後端部３４は、ハンドル１２の近位端部２６の前壁３６から離間配置され得る。相互連結部材１６は、突出部２８と係合する自由端４２を備えるラッチ４０を有するハウジング３８を含むことができる。第１の位置及び第２の位置を有するツメ部材２２は、自由端４２から延出することができる。ツメ部材２２が示されているが、ボタン、ノブ、ピン、レバー又はダイアルのような他の解放機構を使用してもよい。ハウジング３８は、ハンドル１２の突出部２８を受け入れるように寸法付けられた開口部４５を画定することができる。下記に更に詳述するように、テーパー形状の先端部３２は、突出部２８をハウジング３８内に案内及び挿入することを助けることができる。
【００１６】
図３を参照すると、カートリッジ１４、及びハンドル１２の近位端部２６の拡大斜視図が図示されている。ハンドル１２の近位端部２６は、相互連結部材１６による「一方通行」を可能にすることができるので、カートリッジ１４が不適切に（例えば逆さまに）取り付けられることを防ぐ。一方通行の装填は、既定の装填構成を作り出すので、ユーザーはハンドル１２をカートリッジ１４に不適切に取り付けることができない。この「一方通行」のカートリッジ１４の装填は、ハウジング３８及び／又は非対称形状を有するハンドル１２の近位端部２６によって容易にすることができる。概して、カートリッジは、ユーザーがカートリッジを適正に組み立てないとハンドルから外れる傾向を有し、剃毛中のユーザーの負傷をもたらす可能性がある。カートリッジ１４の一方通行の装填は、取り外し式カートリッジを使用したことのない消費者にとって特にわかりやすく、直感的に使用できるものである。下記に更に詳述するように、一方通行の装填はまた、レール又はチャネルのような特徴によっても容易となる。ハウジング３８は、ラッチ４０と、第１の壁４４と、開口部４５を画定する一対の側壁６０及び６２と、を含むことができる。ラッチ４０は、一対のスリット４１及び４３とともに示されているが、スリット４１及び４３はラッチ４０の機能のために必須ではない。ハウジング３８は、ハウジング３８へのハンドル１２の整列及び固定を助けることができるテーパー形状のガイド部材４６を有する第１の壁４４を含むことができる。第１の壁４４とガイド部材４６とは、ハンドル１２の突出部２８の少なくとも一部を受け入れるように寸法付けられた一対のスロット４８及び５０を画定することができる。
【００１７】
ハンドル１２の突出部２８は、ハウジング３８のテーパー形状のガイド部材４６を受け入れるように寸法付けられたテーパー形状のスロット５４を画定する第１の壁５２を有することができる。テーパー形状のスロット５４とテーパー形状のガイド部材４６とは、ハンドル１２へのカートリッジ１４の「一方通行の」装填を容易にすることができる。ハンドル１２のテーパー形状のスロット５４とハウジング３８のテーパー形状のガイド部材４６との組み立ては、相互連結部材１６のハウジング３８内にハンドル１２の突出部２８を固定するテーパー形状のインターロックをもたらすことができる。テーパー形状のスロット５４及びテーパー形状のガイド部材４６のテーパー角度は、各側につき約８分の１度〜各側につき約１０度、又は各側につき約１度〜各側につき約５度であってもよい。テーパー形状のスロット５４及びテーパー形状のガイド部材４６のテーパー角度はまた、カートリッジ１４へのハンドル１２の適正な整列及び組み立てを容易にすることができる。
【００１８】
ハンドル１２の突出部２８は、ハウジング３８の対応する対の側壁６０及び６２と係合する第１及び第２の外側突出部５６及び５８を有することができる。先に説明したようなテーパー形状のインターロックを作り出すために、第１及び第２の外側突出部５６及び５８並びに対応する側壁６０及び６２もまたテーパー形状にすることができる。第１及び第２の外側突出部５６及び５８並びに突出部２８のテーパー形状のスロット５４は、突出部２８をハウジング３８内に堅く固定することを助け、剃毛中にカートリッジ１４がハンドル１２から不意に外れることを防ぐことができる。
【００１９】
図４を参照すると、概して図１の線４−４で得られる剃毛かみそり１０の拡大断面図が示されている。図４に示されているように、カートリッジ１４は、相互連結部材１６の使用によってハンドル１２に固定される。拡大されたラッチ部材３０は、拡大されたラッチ部材３０をハウジング３８に挿入することによって自由端４２がその元の位置すなわち中立位置から偏向するように、中立位置においてハウジング３８の幅より大きい例えば「ｗ１」である寸法を有することができる。自由端４２は、拡大されたラッチ部材３０の先端部３２に沿って乗るフランジ部材６４を有することができる。先端部３２は、自由端４２の偏向を容易にする傾斜面として作用することができる。フランジ部材６４は、拡大されたラッチ部材３０の先端部３２及び後端部３４をクリアし、ハンドル１２の突出部２８と係合することができる。フランジ部材６４は、拡大されたラッチ部材３０の後端部３４と、ハンドル１２の遠位部２６の前壁６６との間で固定されて配置され得る。拡大されたラッチ部材３０の後端部３４は、自由端４２及びフランジ部材６４が突出部２８から外れることを防ぐために、先端部３２より急な傾斜又はテーパーを有することができる。フランジ６４がいったん後端部３４をクリアしたら、ハウジング３８のフランジ部材６４が突出部２８に当たってスナップし、その元の位置すなわち第１の位置に戻るにつれて、クリック音のような感覚フィードバックをもたらすことができる。
【００２０】
解放ツメ２２を相互連結部材１６の自由端４２と結合して、ハンドル１２の近位端部からのカートリッジ１４の解除を容易にすることができる。ユーザーは解放ツメ２２を第２の位置に持ち上げて、又は押して、フランジ部材６４を突出部２８から外すことができる。フランジ部材６４は、テーパー形状の後部に沿ってフランジ部材が乗るにつれて、延ばされた位置まで撓むことができる。テーパー形状の後部をいったんフランジ部材６４がクリアしたら、自由端４２は撓んでその元の位置に戻ることができ、したがって、ハンドル１２の突出部３０からカートリッジをポンと取り出すことができる。先端部３２のテーパー又は傾斜面の形状は、カートリッジ１４をハンドル１２からポンと取り出すことを容易にすることができる。解放ツメ２２はまた、ハウジングを開く（ハウジングの幅を増す）ことによってハウジング３８に突出部２８を装着することを容易にし、突出部２８の挿入を助けることができる。
【００２１】
図５を参照すると、本開示の別の可能な実施形態が示されており、ハンドル１１２とカートリッジ１１４とを有する剃毛かみそり１００が図示されている。ハンドル１１２は、遠位把持部１２４と近位端部１２６とを含むことができる。特定の実施形態において、カートリッジ１１４は、ハンドル１１２の近位端部１２６に取り外し可能にかつ回動自在に装着されることができる。特定の実施形態では、カートリッジ１１４は、ハンドル１１２に取り外し可能にかつ固定して装着されてもよい。カートリッジ１１４は、必要に応じてユーザーによってハンドル１１２の近位端部１２６から取り外され新しいカートリッジ１１４と交換されることができる。
【００２２】
相互連結部材１１６は、カートリッジ１１４をハンドル１１２の近位端部１２６に取り外し可能に結合するために提供されることができる。下記に更に詳述するように、ハンドル１１２の近位端部１２６は、ハンドル１１２からの相互連結部材１１６とカートリッジ１１４との係合及び解除を容易にする一対の可撓性アーム１０２及び１０４を含むことができる。対の可撓性アーム１０２及び１０４は、アーム１０２及び１０４の強度、耐久性及び可撓性を増加する概して鍵穴形状のスロット１２２を画定することができる。対のアーム１０２及び１０４の各々には、拡大された指パッド１０６及び１０８が提供され得る。拡大された指パッド１０６及び１０８は、輪郭作られた又は凹面の輪郭を有する概して楕円形状を有することができる。拡大された指パッド１０６及び１０８は、対の可撓性アーム１０２及び１０４により多くの力を付加することを可能にする一方で、ユーザーの指に付加される力を分散することができ、結果的にハンドル１１２からのカートリッジ１１４の取り付け中及び取り外し中の不快感を弱めることができる。
【００２３】
特定の実施形態では、相互連結部材１１６は、カートリッジ１１４にしっかりと回動自在に接続される一対のアーム１１８及び１２０を有することができる。この対向するアーム１１８及び１２０は、カートリッジ１１４の下に開いた空間又は窓を可能にすることができ、剃毛後にカートリッジ１１４から水が流れ出る能力を改善することが可能である。相互連結部材１１６は、分離した構成要素をハンドル１１２又はカートリッジ１１４に組み立てる必要なくカートリッジ１１４をハンドル１１２に取り外し可能にかつ回動自在に連結する能力のある単一の一体型構成要素であってもよい。ハンドル１１２、カートリッジ１１４及び相互連結部材１１６は、高衝撃ポリスチレン（ＨＩＰＳ）のようなポリマーから成形してもよいが、ポリプロピレン（ＰＰ）及びアクリロニトリルブタジエンスチレン（ＡＢＳ）のような他の準剛性ポリマーを使用してもよい。あるいは、ハンドル１１２を、金属、複合体、より剛性のプラスチック又はこれらの任意の組み合わせのようなより耐久性のある材料で構成してもよい。
【００２４】
ここで図６を参照すると、カートリッジ１１４とハンドル１１２との組み立て／解体を図示する剃毛かみそり１００の分解斜視図が示されている。ハンドル１１２の近位端部１２６の対の可撓性アーム１０２及び１０４の各々は、それぞれ接手部１３２及び１３４を備えたラッチ部材１２８及び１３０を有することができる。ラッチ部材１２８及び１３０は、互いに非平行であることができ、対の可撓性アーム１０２及び１０４から互いに向かって突出する鋭角に延出することができる。可撓性アーム１０２及び１０４は、各々、可撓性アーム１０２及び１０４がともに圧縮されるにつれて互いに接触することができる内側停止面１４２及び１４４を有することができる。指パッド１０６及び１０８は、ユーザーがより多くの力を可撓性アーム１０２及び１０４に付加することを可能にするので、瞬時に又は多くの反復使用にかけて可撓性アーム１０２及び１０４を過圧縮することができる。可撓性アーム１０２及び１０４が疲労し、それらの弾塑性復元力特性を失うことがあり得る。アーム１０２及び１０４がそれらの弾塑性復元力特性を失うと、それらは元の位置に戻らなくなり、結果的に、ハンドル１１２へのカートリッジ１１４の取り付けを緩めて不安定にすることがあり得る。内面１４２及び１４４は、対の可撓性アーム１０２及び１０４の過圧縮を防ぐために止め具として作用し、アーム１０２及び１０４の早すぎる破損を防ぐことができる。内面１４２及び１４４は、相互連結部材１１６へのハンドル１１２の組み立てを可能にするためにアーム１０２及び１０４が十分に圧縮されたときに互いに接触することができる。
【００２５】
カートリッジ１１４は、対の対向するアーム１１８及び１２０を介して相互接続部材１１６に回動自在に接続されることができる。対の対向するアーム１１８及び１２０は、カートリッジ１１４からハウジング１３８まで弧状に延在することができる。ハウジング１３８は、ラッチ部材１２８及び１３０を受け入れるように寸法付けられたテーパー形状の開口部１４０を画定し、それらの偏向を引き起こすことができる。ラッチ部材１２８及び１３０は各々、ラッチ部材１２８及び１３０がハウジング１３８に挿入されるにつれてそれらの偏向を容易にするために片持ち梁として作用する自由端を有する。
【００２６】
図７Ａ及び７Ｂを参照すると、ハンドル１１０に装着されたカートリッジ１１４とともに剃毛かみそり１００が示されている。図７Ｂは、概して図５の線７−７で取られた、剃毛かみそり１００の一部の拡大断面図である。図７Ｂに示されているように、ラッチ部材１２８及び１３０はハウジング１３８に完全に挿入され、カートリッジ１１４はハンドル１１２に固定されている。可撓性アーム１０２及び１０４を互いに対して圧縮して、ハウジング１３８のテーパー形状の開口部１４０にラッチ部材１２８及び１３０を挿入することができる。可撓性アーム１０２及び１０４の圧縮を助けるために、ユーザーは、ラッチ部材１２８及び１３０をハウジング１３８のテーパー形状の開口部１４０に挿入するにつれて指パッド１０６及び１０８を押圧することができる。
【００２７】
接手部１３２及び１３４をハウジング１３８に挿入することによってそれら（及び／又はラッチ部材１２８及び１３０）が偏向するように、ハウジング１３８のテーパー形状の開口部１４０は、一対の対向する内壁１５０と１５２との間に、対の接手部１３２と１３４との間の幅寸法より小さい幅寸法を有することができる。ラッチ部材１２８及び１３０の接手部１３２及び１３４は、ハウジング１３８の内壁１５０及び１５２に沿って乗り、内壁１５０及び１５２の１つ以上のアンダーカット部１５４及び１５６と係合することができる。ラッチ部材１２８及び１３０は、ハウジング１３８がハンドル１１２の可撓性アーム１０２及び１０４の前壁１６２及び１６４と接触するまでハウジング１３８に挿入されることができる。可撓性アーム１０２及び１０４の前壁１６２及び１６４は、ラッチ部材１２８及び１３０がハウジング１３８に深く挿入され過ぎハウジング１３８の後壁１６０に接触することを防ぐために、止め具として作用することができる。後壁１６０は、ラッチ部材１２８及び１３０がハウジング１３８に深く挿入され過ぎた場合、ラッチ部材１２８及び１３０の係合又は解除に影響を及ぼす又は干渉する場合がある。アンダーカット１５４及び１５６は、ラッチ部材１２８及び１３０の各々対応する接手部１３２及び１３４と係合し、ラッチ部材１２８及び１３０がハウジング１３８から引き出されることを防ぐことができる。
【００２８】
接手部１３２及び１３４がいったんハウジング１３８のアンダーカット部１５４及び１５６と係合したら、ユーザーは、指パッド１０６及び１０８を解放することができる。可撓性アーム１０２及び１０４への力がいったん取り除かれたら、可撓性アーム１０２及び１０４並びにラッチ部材１２８及び１３０はそれらの各々対応する元の位置に戻ろうとする又は跳ね戻ろうとする。しかし、ハウジング１３８は、ラッチ部材１２８及び１３０（及びしたがって可撓性アーム１０２及び１０４）がそれらの各々対応する完全な元の位置に戻ることを防ぐように寸法付けられているので、ラッチ部材１２８及び１３０はハウジングの内壁１５０及び１５２に対して力を及ぼすように作用することができる。接手部１３２及び１３４もまた、ハウジング１３８のアンダーカット部１５４及び１５６に対して力を及ぼすことができる。ハウジング１３８に対して及ぼされる力は、ラッチ部材１２８と１３０との間の幅を増すことによって、又は内壁１５０と１５２（アンダーカット部１５４及び１５６も含んでよい）との間の幅を減らすことによって、増すことができる。相互連結部材１１６は、ラッチ部材１２８及び１３０とハウジング１３８との間の干渉を増すことによって、より堅くハンドル１１２に固定され得る。
【００２９】
ハンドル１１２へのハウジング１３８の適正な整列と取り付けを確実にするために、内壁１５０及び１５２並びにラッチ部材１２８及び１３０は、それらが組み立てられたときにテーパー形状のインターロックが作り出されるようにテーパー形状にされることができる。ハウジング１３８は、接手部１３２及び１３４とハンドル１１２の近位端部の前壁１６２との間で堅く固定され、剃毛中の不慮の解体を防ぐことができる。
【００３０】
ユーザーは、接手部１３２及び１３４をハウジング１３８のアンダーカット部１５４及び１５６からクリアするために、可撓性アーム１０２及び１０４を圧縮し、ハンドル１１２をカートリッジ１１４から引き離すことによって、ハンドル１１２からカートリッジ１１４を取り外すことができる。既に述べたように、カートリッジ１１４を廃棄して、別のカートリッジ１１４をハンドル１１２に装着することができる。
【００３１】
図８を参照すると、本開示の別の可能な実施形態が示されており、ハンドル２１２とカートリッジ２１４とを有する剃毛かみそり２００が図示されている。ハンドル２１２は、細長い把持部２２４と、拡大された近位端部２２６とを含むことができる。特定の実施形態において、カートリッジ２１４は、ハンドル２１２の拡大された近位端部２２６に取り外し可能にかつ回動自在に取り付けることができる。他の実施形態では、カートリッジ１４は、ハンドル１２に、取り外し可能に及び固定して取り付けられてもよい。カートリッジ２１４は、必要に応じてユーザーによってハンドル２１２の拡大された近位端部から取り外され新しいカートリッジ２１４と交換されることができる。相互連結部材２１６は、カートリッジ２１４をハンドル１１２の近位端部２２６に取り外し可能に結合するために提供され得る。相互連結部材２１６は、ハンドル２１２の拡大された近位端部２２６の周囲に部分的に延在する一対のはすかい部材２０６及び２０８を含むことができる。はすかい部材２０６及び２０８は、ハンドル２１２に対するカートリッジ２１４のあらゆる揺れ又は傾きを最低限にすることができる。下記に更に詳述するように、ハンドル２１２の近位端部２２６は、ハンドル２１２の相互連結部材２１６及びカートリッジ２１４との係合及び解除を容易にするために、ボタン２２２のような解放機構を含むことができる。ボタン２２２は、剃毛かみそり２００の長手軸８−８に対してほぼ垂直に作動されてもよく、及び／又はボタン２２２は、長手軸８−８に沿って作動及び変位されてもよい。
【００３２】
特定の実施形態では、相互連結部材２１６は、カートリッジ２１４にしっかりと回動自在に接続する一対の対向するアーム２１８及び２２０を有することができる。対向するアーム２１８及び２２０は、カートリッジ２１４の下に開いた空間又は窓を可能にして、剃毛後にカートリッジ２１４から水が流れ出る能力を改善することができる。相互連結部材２１６及びボタン２２２は、ハンドル２１２に又はカートリッジ２１４に組み立てられる、例えばバネ部材のような分離した構成要素を必要とせずに、カートリッジ２１４をハンドル２１２に取り外し可能にかつ回動自在に連結する能力を有する単一の構成要素として製造又は成形されること（又は別個に成形されて後に組み立てられること）ができる。ハンドル２１２、カートリッジ２１４、ボタン２２２及び相互連結部材２１６は、高衝撃ポリスチレン（ＨＩＰＳ）のようなポリマーから成形してもよいが、ポリプロピレン（ＰＰ）及びアクリロニトリルブタジエンスチレン（ＡＢＳ）のような他のポリマーを使用してもよい。あるいは、ハンドル２１２及び／又はボタン２２２を、金属、複合体、より剛性のプラスチック又はこれらの任意の組み合わせのようなより耐久性のある材料で構成してもよい。
【００３３】
ここで図９を参照すると、カートリッジ２１４、ボタン２２２及びハンドル２１２の組み立てを図示する、剃毛かみそり２００の分解斜視図が示されている。特定の実施形態では、ボタン２２２はハンドル２１２と一体に射出成形され得る。他の実施形態では、ボタン２２２は別個に成形され、ハンドル２１２と組み立てられる。ハンドル２１２の拡大された近位端部２２６は、凹面２２８を画定する概して楕円形を有することができる。凹面２２８は、ツメ部材２３０と、一対のスロット付きの突出部２３２及び２３４とを含むことができる。ツメ部材２３０は、ボタン２２２を支持し、ボタン２２２の作動のための戻り要素又は付勢機構として作用することができる。凹面２２８は、それ自体を貫通して延在する開口部２３６を画定することができる。細長い近位端部２２６の前壁２３８は、前壁２３８を貫通して延在し、開口部２３６並びにスロット付き突出部２３２及び２３４と連通するスロット２５０を画定することができる。スロット付き突出部２３２及び２３４は、前壁２３８の連続であることができる。
【００３４】
ボタン２２２は、近位端部２４２、遠位端部２４０、及び近位端部と遠位端部との間の一対のラッチ２４４及び２４６を含むことができる。ハンドル２１２の拡大された近位端部２２６の開口部２３６は、ボタン２２２並びに対のラッチ２４４及び２４６の少なくとも一部を受け入れるように寸法付けられることができる。対のラッチ２４４及び２４６は、ハンドル２１２の拡大された近位端部２２６の底面と係合することができる。ボタン２２２が開口部２３０内に配置されると、ボタン２２２の突出部２４２は対のスロット付き突出部２３２と２３４との間に置かれることができる（図８を参照）。
【００３５】
相互連結部材２１６の対の対向するアーム２１８及び２２０は、カートリッジ２１４から一対のガイド部材２０２及び２０４までの概して弧状の道を追従することができる。自由端２５４を有するラッチ２５２は、対のガイド部材２０２と２０４との間に配置されることができる。ハンドル２１２の拡大された近位端部２２６の前壁２３８内に延在するスロット２５０は、ラッチ２５２及び対のガイド部材２０２及び２０４を受け入れるように寸法付けられることができる。スロット付き突出部２３２及び２３４は、それぞれガイド部材２０２及び２０４を受け入れることができる。対のガイド部材２０２及び２０４は、対のガイド部材２０２及び２０４に対する自由端２５４の偏向を容易にするために支持部材として作用することができる。
【００３６】
図１０を参照すると、概して図８の線１０−１０で取られた剃毛かみそり２００の底面斜視断面図が図示されている。ボタン２２２は、ツメ部材２３０を受け入れるように寸法付けられた底面２６０を有することができる。ハンドル２１２のツメ部材２３０とボタン２２２の底面２６０とは、「Ｔ」型形状のような鍵嵌合を有することができる。ツメ部材２３０は、支持部材として作用することができ、また、作動されていない位置にあるボタン２２２を付勢するバネ戻り要素としても作用することができる。ボタン２２２の遠位端部２４０は、凹面２２８及びツメ部材２３０によって支持されることができる。ボタン２２２の近位端部２４２は、相互連結部材２１６の自由端２５４によって支持されることができる。ツメ部材２３０及び自由端２５４は、ボタン２２２に対する付勢力を付加することができる。
【００３７】
ラッチ部材２４４（明瞭さを期すために２４６は図示せず）は、ハンドル２１２の拡大された近位端部２２６の、各々対応するアンダーカット部２６２と係合して、ボタン２２２をハンドル２１２に固定することができる。アンダーカット部２６６は、ボタン２２２が作動されたときに下方に移動するにつれてラッチ部材２４４を案内することができる。アンダーカット部２６６はまた、ボタン２２２が上方に移動するときにハンドル２１２からラッチ部材２４４が外れるのを防ぐことができる。ボタン２２２の遠位端部２４０は、ハンドルの凹面２２８と接触して、ボタン２２２の解除を防ぐことができる。ラッチ部材２４６及び拡大された近位端部２２６の対応するアンダーカット部２６４は図示されていないが、実質的に同じ方法で機能する。
【００３８】
カートリッジ２１４は、ガイド部材２０２及び２０４が対応するスロット付き突出部２３２及び２３４（明瞭さを期すために２３２及び２０２は図示せず）によって受け入れられるように、拡大された近位端部２２６のスロット２５０内に相互連結部材２１６を挿入することによって、ハンドル２１２に装着することができる。ラッチ２５２が挿入されるにつれて、自由端２５４は偏向し、前壁２３８のアンダーカット２６６と係合して、カートリッジ２１４をハンドル２１２に固定することができる。ラッチ２５２が挿入されると、自由端２５４はボタン２２２の底面２６８と接触し、ボタン２２２の近位端部２４２を第１の位置にトグルするように作用することができる。ボタン２２２の底面２６８に作用している自由端部２５４は、ボタン２２２を第１のトグル位置に付勢することができ、また、ボタン２２２が作動するにつれてバネ部材としても作用して、ユーザーにフィードバックを提供することができる。第１のトグル位置では、ボタンの遠位端部２４０は、図１０に示されるように、ある角度でハンドル２１２の凹面２２８と接触することができる。
【００３９】
ユーザーは、ボタン２２２を作動して第２のトグル位置にすることによって、ハンドル２１２からカートリッジ２１４を解放することができる。第２のトグル位置では、ボタン２２２の遠位端部２４０は、第１のトグル位置と比較してより完全にハンドル２１２の凹面２２８と接触することができる。ボタン２２２が作動されると、ボタン２２２の底面２６８はラッチ２５２の自由端２５４を偏向し、自由端２５４がアンダーカット２６６をクリアすることを可能にすることができる。自由端２５４がいったんアンダーカット２６６をクリアしたら、カートリッジ２１４は、自由端２５４の偏向によって生成される力によってハンドル２１２から解放又は放出されることができる。既に述べたように、カートリッジ２１４を廃棄した後、別のカートリッジ２１４をハンドル２１２に装着することができる。
【００４０】
図１１を参照すると、概して図８の線１１−１１で取られた剃毛かみそり２００の断面図が図示されている。カートリッジ２１４（図示せず）は、拡大された近位端部２２６のスロット２５０内に相互連結部材２１６を挿入することによってハンドル２１２に装着されることができる。それぞれ一方通行の装填機能２７２及び２７４を提供するために、ガイド部材２０２及び２０４の１つ以上を非対称に形作ることができる。一方通行の装填機能２７２及び２７４は、相互連結部材２１６が不適切に（例えば逆さまに）ハンドル２１２に装着されることを防ぐことができる。一方通行の装填機能２７２及び２７４はまた、ハンドル２１２に対する相互連結部材２１６の側方（例えば横方向又は上下）の安定を付与することができる。側方安定の増加は、相互連結部材２１６とハンドル２１２との間の固定接続を更に強め、切り傷及び不快な剃毛につながることが可能なカートリッジ２１４（図示せず）の不要な動きを低減することができる。
【００４１】
一方通行の装填機能２７２及び２７４は、１つ以上のガイド部材２０２及び２０４の上面又は底面上に配置されるレール、チャネル又は他の特徴を含むことができる。スロット２５０は、スロット付き突出部２３２及び２３４（図示せず）の１つ以上の中に向かって延在することができる対応する非対称形状を有することができる。スロット２５０並びにスロット付き突出部２３２及び２３４は、相互連結部材２１６が単一の向きでのみハンドル２１２に装着され得るように、一方通行の装填機能２７２及び２７４を受け入れるように寸法付けられることができる。一方通行の装填は、より直感的な設計を消費者に提供し、ハンドル２１２及び／又は相互連結部材２１６への損傷をもたらし得る不適切な装填の可能性を低減する。剃毛かみそり２００を一度も使ったことがない又はそれに慣れていない消費者でさえも、相互連結部材２１６を利用して迅速かつ適性かつ容易にカートリッジ２１４（図示せず）の取り付け及び交換をすることができることになる。
【００４２】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【００４３】
相互参照される又は関連するあらゆる特許又は出願を含め、本明細書において引用される全ての文献は、明示的に除外ないしは制限されない限り、参照によりその全体が本明細書に組み込まれる。いかなる文献の引用も、それが本明細書において開示され請求されるいずれかの発明に関する先行技術であること、又はそれが単独で若しくは他の任意の参照とのいかなる組み合わせにおいても、このような発明を教示する、提案する又は開示することを認めるものではない。更に、本書における用語のいずれかの意味又は定義が、参照により組み込まれた文献における同一の用語のいずれかの意味又は定義と相反する限りにおいては、本書においてその用語に与えられた定義又は意味が適用されるものとする。
【００４４】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の特許請求の範囲で扱うものとする。
【図１】
2012514496.tif 000003
【図２】
2012514496.tif 000004
【図３】
2012514496.tif 000005
【図４】
2012514496.tif 000006
【図５】
2012514496.tif 000007
【図６】
2012514496.tif 000008
【図７Ａ】
2012514496.tif 000009
【図７Ｂ】
2012514496.tif 000010
【図８】
2012514496.tif 000011
【図９】
2012514496.tif 000012
【図１０】
2012514496.tif 000013
【図１１】
2012514496.tif 000014
【手続補正書】
【提出日】平成23年7月13日(2011.7.13)
【手続補正１】
【補正対象書類名】明細書
【補正対象項目名】００３４
【補正方法】変更
【補正の内容】
【００３４】
ボタン２２２は、近位端部２４２、遠位端部２４０、及び近位端部と遠位端部との間の一対のラッチ２４４及び２４６を含むことができる。ハンドル２１２の拡大された近位端部２２６の開口部２３６は、ボタン２２２並びに対のラッチ２４４及び２４６の少なくとも一部を受け入れるように寸法付けられることができる。対のラッチ２４４及び２４６は、ハンドル２１２の拡大された近位端部２２６の底面と係合することができる。ボタン２２２が開口部２３６内に配置されると、ボタン２２２の突出部２４２は対のスロット付き突出部２３２と２３４との間に置かれることができる（図８を参照）。
【国際調査報告】
2012514496.tif 000015
2012514496.tif 000016
2012514496.tif 000017
2012514496.tif 000018
2012514496.tif 000019